(57)【要約】  本発明はクレジットカード証書を通じて支払命令を許可する方法および関連装置に関し、ユーザは少なくとも一つのクレジット証書の所有者であり、クレジット証書は発行機関（２１）により発行され、電話（２０）のものであり、電話は無線電話メッセージを送信し受信する機能を備えており、この方法は、発行機関がクレジット証書の有効性をチェックするフェーズＡと、発行機関が商業サイトへ支払命令の許可の確認または拒否を送信するフェーズＢと、ユーザの電話（２０）から発行機関のサービス・センタ（２１）の無線メッセージ管理装置（２２）へ、商業サイト識別コード、金額および／または証書識別データおよび／またはユーザ識別データおよび／または電話識別データを送信するフェーズＣとを含む。
2007521556.tif 000002
【特許請求の範囲】
【請求項１】
クレジット証書を通じて支払い命令を許可する方法であって、ユーザは貨幣の金額の支払いと交換して、商業サイト内の少なくとも一品目の商品および／または少なくとも一つのサービスを購入し、前記ユーザは、前記少なくとも一つのクレジット証書の所有者であり、このクレジット証書は発行機関（２１）により発行されて、クレジット証書識別データにより一義的に決定され、無線電話メッセージを送信し受信する機能を備えた電話（２０）のものであり、前記方法は、
Ａ．前記発行機関が、前記クレジット証書の前記有効性を調べるフェーズと、
Ｂ．前記発行機関が前記商業サイトへ、前記チェックの結果により前記支払いの命令の許可の確認または拒否を送信するフェーズとを含み、
前記方法は、下記の予備的フェーズを含むことを特徴とする：
Ｃ．前記ユーザの電話（２０）から前記発行機関のサービス・センタ（２１）の無線電話メッセージ管理装置（２２）へ、商業サイト識別コード、貨幣の金額および／または証書識別データおよび／またはユーザ識別データおよび／または電話識別データを含む無線電話メッセージを送信する前記予備的フェーズであって、
前記商業サイト識別コードおよび前記貨幣の金額は、前記メッセージの構成中にユーザにより入力される前記方法。
【請求項２】
前記証書識別データおよび／またはユーザ識別データおよび／または電話識別データが、前記電話（２０）内に記憶されていることを特徴とする請求項１記載の前記方法。
【請求項３】
前記証書識別データおよび／または前記ユーザ識別データおよび／または前記電話識別データが、前記メッセージの構成中に前記ユーザにより入力されることを特徴とする請求項１記載の前記方法。
【請求項４】
前記無線電話メッセージが、ＳＭＳメッセージおよび／またはＭＭＳメッセージであることを特徴とする前項までのいずれかの請求項による前記方法。
【請求項５】
前記電話（２０）が無線電話であることを特徴とする前項までのいずれかの請求項による前記方法。
【請求項６】
前記電話（２０）がセルラ無線電話であることを特徴とする請求項４記載の前記方法。
【請求項７】
前記商業サイトが、ネットワークを通じてコンピュータを介してアクセス可能である商業サイトであることを特徴とする前項までのいずれかの請求項に記載の前記方法。
【請求項８】
前記商業サイトが、前記インターネットを介してアクセス可能な商業サイトであることを特徴とする請求項７記載の前記方法。
【請求項９】
前記商業サイトが自動キャッシュ・ディスペンサであることを特徴とする前項までのいずれかの請求項に記載の前記方法。
【請求項１０】
前記ＳＭＳメッセージ管理装置が、前記発行機関の前記サービス・センタ（２１）内に組み込まれていることを特徴とする前項までのいずれかの請求項に記載の前記方法。
【請求項１１】
前記ＳＭＳメッセージ管理装置が、前記サービス・センタ（２１）と通信する無線電話メッセージ管理サーバ（２２）であることを特徴とする請求項１ないし請求項９のいずれかに記載の前記方法。
【請求項１２】
フェーズＣの後に、下記のフェーズを含むことを特徴とする前項までのいずれかの請求項に記載の方法：
Ｄ．サービス・センタ（２１）の無線電話メッセージ管理装置（２２）からユーザの電話（２０）へ、支払命令の許可の確認または拒否に関する情報を含む無線電話メッセージを、送信すること。
【請求項１３】
フェーズＣの間に送信される前記無線電話メッセージが、支払い命令の許可の要求を更に含むことを特徴とする前項までのいずれかの請求項に記載の前記方法。
【請求項１４】
フェーズＣの後に下記のフェーズを更に含むことを特徴とする請求項１ないし請求項１２のいずれかに記載の方法、すなわち、
Ｅ．前記サービス・センタ（２１）の前記無線電話メッセージ管理装置（２２）から前記ユーザの電話（２０）へ、前記商業サイトおよび／または前記貨幣の金額を指示する情報を少なくとも含む無線電話メッセージを送信することと、
Ｆ．前記ユーザが前記電話（２０）へフェーズＥの間に前記装置（２２）により送信された前記メッセージにより、受信される前記情報の前記正確さに関連する指示、入力することであって、
フェーズＥの間に前記装置（２２）により送信される前記メッセージにより受信される前記情報の前記正確さの確認を前記ユーザが入力する場合にのみ前記フェーズＣが遂行される前記方法。
【請求項１５】
前記電話（２０）が、前記ユーザにより選択可能なクレジット証書を使用するための作業モードを備えていることを特徴とする前項までのいずれかの請求項による前記方法。
【請求項１６】
前記作業モードが、前記パスワードの入力に基づいてユーザの権利付与をチェックする作業を含むことを特徴とする請求項１５記載の前記方法。
【請求項１７】
クレジット証書を使用するための作業モードにおいて、前記ユーザがクレジット証書を選択することを特徴とする請求項１５または請求項１６記載の前記方法。
【請求項１８】
フェーズＣに先立って、下記のフェーズをさらに含むことを特徴とする請求項１５ないし請求項１７のいずれかに記載の方法、すなわち、
Ｇ．前記サービス・センタ（２１）の前記無線電話メッセージ管理装置（２２）から前記ユーザの電話（２０）へ所定の無線電話メッセージを送信し、この無線電話メッセージは、前記商業サイト識別コードおよび／または前記ユーザにより記入される前記金額に関連する空白フィールドを含む、前記方法。
【請求項１９】
請求項１１による場合に、さらに下記のフェーズをフェーズＤの後に含むことを特徴とする請求項１５ないし１８のいずれかの請求項に記載の方法、すなわち、
Ｈ．  好ましくはユーザによる選択の元に前記電話（２０）内に、取り引きデータを保存する前記方法。
【請求項２０】
クレジット証書を使用するための前記作業モードが、電話（２０）内に記憶されたクレジット証書に関連するデータをセットする選択可能なサブ・モードを含むことを特徴とする請求項１５ないし請求項１９のいずれかの請求項に記載の前記方法。
【請求項２１】
フェーズＣの間に送信される前記無線電話メッセージが前記電話（２０）のＩＭＥＩ（国際移動装置識別）コードを含み、またフェーズＡの間に発行機関が前記ＩＭＥＩコードが前記ユーザおよび／または前記無線電話および／または前記クレジット証書へ対応することをチェックすることを特徴とする前項までのいずれかの請求項に記載の前記方法。
【請求項２２】
フェーズＣの後に前記発行機関の前記サービス・センタ（２１）がユーザのＥメール・アドレスへ前記支払い命令の許可の前記確認または拒否を報告するＥメール・メッセージを送信することを特徴とする前項までのいずれかの請求項に記載の前記方法。
【請求項２３】
前記クレジット証書がクレジット・カードであることを特徴とする前項までのいずれかの請求項に記載の前記方法。
【請求項２４】
前記クレジット証書が磁気ストライプおよび／または電子チップを含むことを特徴とする前項までのいずれかの請求項に記載の前記方法。
【請求項２５】
前記電話（２０）はクレジット証書の前記磁気ストライプおよび／または前記電子チップを読むためのインターフェイスを含む少なくとも一つのスロットを備えており、それによりフェーズＣの間に送信される無線電話メッセージの中に挿入されるべきクレジット証書データを読み取るようにしたことを特徴とする請求項２４記載の前記方法。
【請求項２６】
請求項１ないし請求項２５のいずれかによるクレジット証書を通じて支払い命令を許可する前記方法において、クレジット証書を発行する機関のサービス・センタ（２１）の無線電話メッセージ管理装置として作業しやすいことを特徴とする無線電話メッセージ管理装置（２２）。
【請求項２７】
無線電話メッセージを送信し受信する機能を備えた電話（２０）であって、請求項１ないし請求項２５のいずれかに記載のクレジット証書を通じて支払い命令を許可する前記方法において、ユーザの電話として作業しやすいことを特徴とする前記電話（２０）。
【発明の詳細な説明】
【技術分野】
【０００１】
本発明は、電話通信、好ましくはセルラ無線電話を使用して、特にクレジット・カードにより支払命令を許可する方法に関し、この方法は非常に高度な安全を可能にし、単純で信頼性があり安価に実現できるものである。
【０００２】
本発明はさらに、前記の方法を実行できるようにする装置に関する。
【０００３】
いわゆるクレジット・カードを通じての支払方法は、現在使用され普及している。そうした方法は、技術的に支払い命令として定義され、本人（ｐｒｉｎｃｉｐａｌ）と呼ばれる商品またはサービスの購入者が、受任者（ｍａｎｄａｔｅｅ）と呼ばれる売り手に対して、代理人（ｐｒｏｘｙ）と呼ばれる媒介者を割り当て、この代理人は、購入者の代わりに売り手により供給される商品またはサービスに対する代価を支払う契約をする。媒介者は、クレジット・カードを発行する機関であり、売り手のために支払いをすること、および購入者からの貨幣購買の時に遅延する場合は、引出しする責任がある。命令の許可は、クレジット・カード・データ、とくにカード識別番号が有効であるとの確認の後に、発行機関により与えられる。
【０００４】
通常、発行機関により発行されたクレジット・カードの所有者であり、また所有者の個人データ、識別番号および有効期限を供給されている購買者が、販売書類にサインし、この販売書類には行われたビジネス活動の詳細が報告され、購買者はそれを販売者に与える。図１に、そうした販売書類のサンプル１が例示され、それは売り手識別データ、すなわちベンダ・コード番号２および、クレジット・カード発行機関の識別子２´を報告する。詳しくは通常磁気的手段を通じて自動的にカードを読み取る装置により、この販売記録が印刷される。
【０００５】
インターネット通信網上で支払い作業が遂行される場合は、購入者は販売者に対して、カードの発行機関および識別番号、またおそらくは有効期限および所有者の個人データを通信することだけに、彼自身を制限する。より詳細には、クレジット・カードを通じてインターネット・サイト上で購入する購買者は、購入に際して彼のクレジット・カードのすべてのデータが挿入された後に、取引が実行される銀行サーバにより、制御されるページへ接続される。
【０００６】
しかしながらクレジット・カードを介する現在の取引方法は、なお伝統的な手順およびサービスに制約されていて、それらは技術進歩に沿って決して展開されておらず、結果としていくつかの欠点を有する。
【０００７】
第１に、誰かがクレジット・カードの識別データを悪用する危険が常に存在するので、取引は安全にされていない。
【０００８】
その上、インターネット通信網上で取引するためにクレジット・カードを使用するときに、さらなる問題が出現する。これは、インターネット上でクレジット・カードを使用することへのユーザの心理的な恐怖に反映して、ネットワーク上の関連取引の普及を減速させる。実際に市場調査が専門のＩｐｓｏｓ−Ｒｅｉｄ社により大部分の工業世界の１６ヶ国で実行された調査が示すところでは、面接された人々の４６％は、クレジット・カードの詐欺がインターネット上の商取引の主要問題であると信じている。
【０００９】
発行会社は、プリペイド・カードの発行など、これらの欠点に対するいくつかの解決を開発してきたが、しかしながら、最大購入限度を有し、特定関連サイトでのみ使用され国際レベルで使用できない問題、またチップ・タイプのマイクロ・プロセッサにより供給されるカード発行であっても１００％完全な安全を保障せず、インターネット通信網を通じてクレジット・カードを使用することに関しては全く変わらず、一方それらは同一クレジット・カードおよび関連のＰＯＳリーダの生産コストを増加させる問題を提起する。
【発明の開示】
【発明が解決しようとする課題】
【００１０】
したがって本発明の一つの目的は、単純で信頼性があり安価な方法において、とくにクレジット・カードによる支払いにおいて、さらに好ましくはインターネットを通じて、支払い命令の許可における非常に高度な秘密性と安全性を可能にすることである。
【課題を解決するための手段】
【００１１】
本発明の特定の主題は、クレジット証書（ｉｎｓｔｒｕｍｅｎｔ）を通じて支払命令を許可する方法であって、そこでユーザは、ある金額の貨幣の支払いと交換して少なくとも一品目の商品および／または少なくとも一つのサービスを購入し、このユーザは、少なくとも一つのクレジット証書の所有者であり、このクレジット証書は発行機関により発行されて、クレジット証書識別データにより一義的に決定され、また前記ユーザは、無線電話メッセージを送信し受信する機能を備えた電話の所有者であり、前記方法は、
Ａ．前記発行機関が前記クレジット証書の前記有効性をチェックするフェーズ（ｐｈａｓｅ）と、
Ｂ．前記発行機関が前記商業サイトへ、前記チェックの前記結果によって、前記支払命令の許可の確認または拒絶を送信するフェーズとを含み、
前記方法は下記の予備的フェーズを含む：
Ｃ．前記ユーザの電話から前記発行機関のサービス・センタの無線電話メッセージ管理装置へ、商業サイト識別コード、金額および／または装置識別データおよび／またはユーザ識別データおよび／または電話識別データを含む無線メッセージを送信することを含む前記方法。
【００１２】
なお本発明によれば、証書識別データおよび／またはユーザ識別データおよび／または電話識別データは、前記電話内に記録される。
【００１３】
さらに本発明によれば、証書識別データおよび／またはユーザ識別データおよび／または電話識別データは、前記メッセージの構成中に、前記ユーザにより入力される。
【００１４】
好ましくは、本発明によれば前記無線電話メッセージは、ＳＭＳメッセージおよび／またはＭＭＳメッセージである。
【００１５】
さらに本発明によれば、前記電話は無線電話であり、好ましくはセルラ無線電話である。
【００１６】
なお本発明によれば、前記商業サイトはネットワークを通じてコンピュータを介してアクセス可能であり、好ましくはインターネットを介してアクセス可能である。
【００１７】
なお本発明によれば、前記商業サイトは自動キャッシュ・ディスペンサである。
【００１８】
さらに本発明によれば、前記ＳＭＳメッセージ管理装置は、前記発行機関の前記サービス・センタ内に組込まれている。
【００１９】
なお本発明によれば、前記ＳＭＳメッセージ管理装置は、前記サービス・センタと連絡する無線メッセージ管理サーバである。
【００２０】
なお本発明によれば、この方法はフェーズＣの後に下記のフェーズを含む：
Ｄ．前記サービス・センタの前記無線電話メッセージ管理装置から前記ユーザの電話へ、前記支払い命令の許可の前記確認または拒絶に関する情報を含む無線電話メッセージを送信すること。
【００２１】
さらに本発明によれば、フェーズＣの間に送信される前記無線電話メッセージは、さらに前記支払い命令の許可の要求を含む。
【００２２】
なお本発明によれば、前記方法はフェーズＣの後に下記のフェーズをさらに含む：
Ｅ．前記サービス・センタの前記無線電話メッセージ管理装置から前記ユーザの電話へ、前記商業サイトおよび／または前記金額を示す少なくとも一つの情報を含む無線電話メッセージを送信すること。
Ｆ．前記ユーザが前記電話へ、フェーズＥの間に前記装置により送信された前記メッセージにより、受信される前記情報の前記正確さに関する指示を入力する。
フェーズＥの間に前記装置により送信された前記メッセージにより、受信される前記情報の前記正確さの確認の情報を前記ユーザが入力した場合にのみ、前記フェーズＣが遂行される。
【００２３】
なお本発明によれば、前記電話は前記ユーザにより選択可能であるクレジット証書を使用するための、オペレーティング・モードを備えている。
【００２４】
さらに本発明によれば、前記オペレーティング・モードは、前記パスワードの入力に基づくユーザ資格付与をチェックする作業を含む。
【００２５】
なお本発明によれば、クレジット証書を使用する前記作業モードの間に、前記ユーザはクレジット証書を選択する。
【００２６】
さらに本発明によれば、前記方法は更にフェーズＣに先立って下記のフェーズを含む。
Ｇ．サービス・センタの無線電話メッセージ管理装置から前記ユーザの電話へ前記無線メッセージを送信し、それは前記商業サイト識別サイトおよび／または前記金額に関連する空白フィールドであって、前記ユーザにより書き込まれるフィールドを含む。
【００２７】
さらに本発明によれば、前記方法はフェーズＤの後に下記のフェーズを含む。
Ｈ．好ましくは前記ユーザによる選択の下に前記電話内の取引データを保存すること。
【００２８】
なお本発明によれば、クレジット証書を使用するための前記オペレーション・モードは、前記電話の中に記憶されたクレジット証書に関連するデータをセットするための選択可能なサブ・モードを含む。
【００２９】
さらに本発明によれば、フェーズＣ中に送信された前記無線電話メッセージは前記電話のＩＭＥＩ（国際移動証書識別）コードを含み、またフェーズＡの間に発行機関は前記ユーザおよび／または無線電話および／または前記クレジット証書に前記ＩＭＥＩコードが対応することをチェックする。
【００３０】
さらに本発明によれば、フェーズＣの後に、前記発行機関の前記サービス・センタはユーザのＥメール・アドレスへ、前記支払い命令の許可の前記確認または拒絶を報告するＥメール・メッセージを送信する。
【００３１】
好ましくは本発明によれば、前記クレジット証書はクレジット・カードである。
【００３２】
なお本発明によれば、前記クレジット証書は磁気ストライプおよび／または電子チップを含む。
【００３３】
なお本発明によれば、前記電話はクレジット証書の前記磁気ストライプおよび／または前記電子チップを読み取るためのインターフェイスを含む少なくとも一つのスロットを備えており、それによりフェーズＣの間に送信される前記無線電話メッセージ内に挿入されたクレジット証書データを読み取るようになっている。
【００３４】
さらに本発明の特定の主題としては、クレジット証書を通じて支払い命令を許可するための説明された通りの方法において、クレジット証書を発行する機関のサービス・センタの無線電話メッセージ管理装置として動作しやすいことを特徴とする無線電話メッセージ管理装置がある。
【００３５】
さらにまた本発明の特定主題として、無線メッセージを送信し受信する機能を備えている電話であって、クレジット証書を通じて支払い命令を許可するための前記方法におけるユーザの電話として動作しやすいことを特徴とするものを含む。
【００３６】
本発明の更なる詳細と実施例は従属請求項に記述される。
【実施例】
【００３７】
下記の説明において、同一の参照番号は図面内の同様な要素を示すために使用される。
【００３８】
本発明による方法は、クレジット・カードによる支払命令を要求し許可するために、電話、好ましくはセルラ無線電話の使用に基づき、これらは処理ユニット（通常のセルラ無線電話のＳＩＭカードに存在するタイプのもの）、メモリ・ユニット、ディスプレイおよび英数字キーパッドを備えている。この点において、ＳＭＳメッセージを送信し受信する機能を備えた固定電話を、セルラ無線電話と同様に使用できる。一層詳しくは、本発明による方法は、クレジット・カード発行機関の承諾を有する伝統的な商業サイトまたはインターネットでアクセス可能な商業サイトにおいて、購入のために電話を個人的に使用して、すべての取引を遂行することを、クレジット・カードの所有者に可能にする。
【００３９】
本発明による方法の第１実施例に従って、クレジット・カードによる支払命令を通じて商業サイトで購入をしたいと望むユーザは、彼または彼女自身のセルラ無線電話を使用する。
【００４０】
図２を参照すると、遂行される作業は下記の通りである。
【００４１】
−  ユーザは、無線電話上でクレジット・カード使用モード（図２において数字３で示される作業）を選択し、そこでセルラ無線電話ディスプレイは図３．１および図３．２に示すように、選択情報を表示できる。
【００４２】
−  ユーザは、無線電話キーパッドを通じて第１パスワードを入力して、クレジット・カード使用モードを動作可能にして（図２の作業４）、そこで無線電話ディスプレイは、図３．３に示すように、パスワード入力の要求を表示する。
【００４３】
−  無線電話処理ユニットは、クレジット・カード使用モードの使用を動作可能にする第１パスワードが正しいかどうかをチェックする（図２の作業５）：チェック結果が否定的であれば、パスワード入力の作業４を反復する必要があり、さもなければ（作業の）フローは次のオペレーション６へ通過する。
【００４４】
−  ユーザは無線電話上でクレジット・カードを選択し（図２の作業６）、そこでセルラ無線電話ディスプレイは、図３．４に示すように、選択の要求を表示できる。
【００４５】
−  ユーザは無線電話キーパッドを通じて第２パスワードを入力して、選択されたクレジット・カードの使用を動作可能にする（図２の作業７）、ここで無線電話ディスプレイは、図３．５に示すように、パスワード入力の要求を表示できる。
【００４６】
−  無線電話処理ユニットは、第２クレジット・カードの使用を許可する第２パスワードが正しいかどうかをチェックする（図２の作業８）：チェックの結果が否定的であればパスワード入力の作業７を繰り返す必要があり、さもなければフローは次の作業９へ通過する。
【００４７】
−  ユーザは無線電話キーパッドを通じて商業サイトの識別コードを入力し、それにより彼または彼女は購入することを希望する（図２の作業９）が、そこで無線電話ディスプレイは、図３．６に示すように、商業サイト・コード入力への要求を表示できる。
【００４８】
−  ユーザは無線電話キーパッドを通じて商業サイトへ信用貸しされる金額を入力する（図２の作業１０）が、ここで無線電話ディスプレイは、図３．７に示すように、金額入力への要求を表示できる。
【００４９】
−  無線電話処理ユニットはディスプレイ上に入力された金額および恐らくは入力された商業サイト・コードを表示し（図２の作業１１）、そして図３．８に示すように、ユーザに対する確認の要求を表示する。
【００５０】
−  ユーザは確認要求への応答を入力し、無線電話処理ユニットによりチェックされたことを応答する（図２の作業１２）：ユーザによる確認が否定的であれば、金額入力の作業１０および恐らくは商業サイト・コード入力の作業９もまた繰り返す必要があり（図２の作業１２から作業９への短い点線）、そうではなくて、ユーザによる確認が肯定的であれば、無線電話処理ユニットは第１ＳＭＳメッセージを送信するが、これはユーザにより入力された取引データおよびクレジット・カードを発行する機関のサービス・センタに対する選択されたクレジット・カードデータ（恐らくは無線電話のＩＭＥＩ−国際移動証書識別−コードと共に）を含み、次の作業１３を遂行する以前に、図３．９に示すように、データの正確性の確認に対する要求の第２のＳＭＳメッセージをサービスセンタから受信するように、クレジット・カードを待機させる。
【００５１】
−  無線電話処理ユニットは、サービス・センタから受信したデータ、好ましくは商業サイト識別データ（名前と恐らくは住所）をディスプレイ上に表示して（図２の作業１３）、図３．１０に示すように、ユーザへの確認要求を表示する。
【００５２】
−  ユーザは確認要求への応答を入力し、この応答は無線電話処理ユニットによりチェックされる応答である（図２の作業１４）：ユーザによる確認が否定的であれば、商業サイト・コード入力の作業９から始まる以前の作業を繰り返す必要があり、無線電話処理ユニットはサービス・センタへ、以前に送られた取引データをリセットする第３ＳＭＳメッセージを送信するが、そうではなくて、ユーザによる確認が肯定的であれば、無線電話処理ユニットはサービス・センタに対して、許可の要求の第４ＳＭＳメッセージを送信して、次の作業１５を遂行する以前に、図３．１１に示すように、この取引の許可の承認または拒否の第５ＳＭＳメッセージをサービス・センタから受信するように、処理ユニットを待機させる。
【００５３】
とくに図４を参照すれば、（店舗などの）通常の商業サイトにおける取引の場合に観察されるのは、ユーザの無線電話２０が許可要求の第４ＳＭＳメッセージをサービス・センタ２１（その中にＳＭＳメッセージ制御装置が組み込まれている）へ送信し、サービス・センタ２１が、要求の規則性（ｒｅｇｕｒａｒｉｔｙ）の確認およびクレジット・カードデータの有効性の承認に対する通常のチェックを遂行する（恐らくは無線電話番号および／またはクレジット・カードに実際に対応する受信されたＩＭＥＩコードをチェックする）。実際、クレジット・カードデータ（恐らくは無線電話ＩＭＥＩコードと共に）は、第１ＳＭＳメッセージおよび／または第４ＳＭＳメッセージと共にセルラ無線電話により自動的に送信される。許可が承認される場合は、サービス・センタ２１は通常の方法で商業サイトへ、支払い許可要求の結果についてのＰＯＳメッセージを送信し、これが図１に示すものような販売書類の印刷を行わせ、これにより許可が承認された場合は、商業サイトがユーザに対して、購入された商品またはサービスを与える。
【００５４】
図５を参照すると、本発明による方法の代わりの実施例が示され、それは、ユーザの無線電話２０が許可要求の第４ＳＭＳメッセージを、サービス・センタ２１のために作業するＳＭＳメッセージ制御サーバ２２へ送信し、サービス・センタ２１は、この要求の規則性の確認についての通常のチェックを遂行して、クレジット・カード・データの有効性を承認する。認可の結果は、サービス・センタ２１によりサーバ２２へ通知され、それは、これによりＳＭＳメッセージを通じてユーザの無線電話２０へ送信され、一方サービス・センタ２１は通常の方法で商業サイトへ、支払い許可要求の結果についてのＰＯＳメッセージを送信する。恐らくは、サーバ２２はまたユーザのＥメール・アドレスに対して、認可された取引または拒否された取引を報告するＥメール・メッセージを送信する。
【００５５】
インターネットを介しての購入の場合は、商業ウエブ・サイトは、既存のものと全く同一の方法で、取引許可要求の結果に関するメッセージを表示する。
【００５６】
さらに図２を参照すると、この方法の後続の作業は下記の通りである。
【００５７】
−  無線電話処理ユニットはディスプレイ上に支払い許可要求の結果を表示し（図２の作業１５）、また取引の選択についての要求（またはこれが拒否されている場合は支払い許可要求）データ保存を、図３．１３に示すように、表示する。
【００５８】
−  ユーザはデータ保存要求に対する応答を入力し、この応答は無線電話処理ユニットによりチェックされる（図２の作業１６）：もしユーザによる要求が肯定的であれば、無線電話処理ユニットはこのデータを記憶する。
【００５９】
−  最後に、現在の取引に関するこの方法による諸作業が終了する。
【００６０】
本発明による方法の他の諸実施例は、第２パスワードを入力して、その正確さをチェックし、選択されたクレジット・カードを使用可能にする作業７および８を、含まない。図２に示されるこれらの作業の実行は、ユーザが適当なキーまたはキーの特定の組み合わせを押すことにより、いつでも中断することができる。
【００６１】
本発明による方法のさらに他の実施例は、無線電話とサービス・センタの間で異なったメッセージを、含み得る：ユーザは自分のユーザ識別コードおよび第２パスワードを入力して、選択されたクレジット・カード（発行機関により知られているデータ）を使用可能にすることができるだけであり、また無線電話はそうしたデータのみを含むＳＭＳメッセージまたはＭＭＳメッセージを送り、それに応答してサービス・センタは無線電話へ、あらかじめ定義されたＳＭＳメッセージまたはＭＭＳメッセージを送り、その適当なフィールドに（商業サイト識別コードおよび金額などを）記入した後に、サービス・センタへ返送しなければならず、それからユーザはチェックの結果を待機する。
【００６２】
インターネットを介して購入する場合は、商業ウエブ・サイト上で購入するためにプロダクト／サービスを選択するユーザが彼または彼女が使用したい（そしてその商業サイト識別コードの情報を含む）カードの発行機関に対応する領域上でクリックすると、彼または彼女は自動的に発行機関ウエブ・サイトへリンクされ、そこへ彼または彼女は自分のユーザ識別コード（および恐らくは、許可されるべき金額）を入力するだけでよく、それは、他のデータは商業ウエブ・サイトにより発行機関へ自動的に通知されるからである。
【００６３】
本発明による方法の更なる実施例において、ユーザ無線電話はクレジット・カードの磁気ストライプおよび／またはチップを読み取るインターフェイスを含むスロットを備えている。そうした場合は、一度クレジット・カードが読み取られると、ユーザは商業サイト識別コード、許可されるべき金額および恐らくは使用可能にする第２パスワードを入力するだけでよく、それから彼または彼女は、サービス・センタへ許可要求のＳＭＳメッセージまたはＭＭＳメッセージを送信する。
【００６４】
図６を参照すると、本発明による方法の第１実施例によりクレジット・カードのデータをユーザのセルラ無線電話にセットするために遂行される作業は、すでに作業３、４および５により説明されたものおよび下記の作業を含む。
【００６５】
−  ユーザは無線電話上でクレジット・カード設定モードを選択し（図６の作業３１）、そこでセルラ無線電話ディスプレイは、図７．４に示すように、選択の要求を表示する。
【００６６】
−  ユーザは無線電話キーパッドを通じてクレジット・カード発行機関の識別コードを入力する（図６の作業３２）。そこで無線電話ディスプレイは、図７．５に示すように、機関コード入力の要求を表示する。
【００６７】
−  ユーザは無線電話キーパッドを通じてクレジット・カード所有者のデータ、彼または彼女の名前などを入力し（図６の作業３３）、そこで無線電話ディスプレイは、図７．６に示すように、所有者データ入力の要求を表示する。
【００６８】
−  ユーザは無線電話キーパッドを通じてクレジット・カードの番号、使用期限などのクレジット・カード・データを入力し（図６の作業３４）、そこで無線電話ディプレイは、図７．７に示すように、クレジット・カード・データ入力の要求を表示する。
【００６９】
−  ユーザは無線電話キーパッドを通じて英数字コードなどのユーザ識別コードを入力し（図６の作業３５）、そこで無線電話ディスプレイは、図７．８に示すように、ユーザ・コード入力の要求を表示する。
【００７０】
−  ユーザは無線電話キーパッドを通じて発行機関のサービス・センタ（またはそのサーバ）に対応するセルラ無線電話番号を入力し（図６の作業３６）、そこで無線電話ディスプレイは、図７．９に示すように、接続すべき番号の入力への要求を表示する。
【００７１】
−  ユーザは無線電話キーパッドを通じてＩＭＥＩ番号を入力し（図６の作業３７）、そこで無線電話ディスプレイは、図７．１０に示すように、ＩＭＥＩコード入力の要求を表示する。
【００７２】
−  ユーザは無線電話キーパッドを通じてクレジット・カードの使用を動作可能にするパスワードを入力し（図６の作業３８）、そこで無線電話ディスプレイは、図７．１１に示すように、パスワード入力の要求を表示する。
【００７３】
−  無線電話処理ユニットはすべての入力されたデータを記憶し（図６の作業３９）、図７．１２に示すように、終了を設定する情報を表示する。
【００７４】
本発明による方法の他の実施例は、パスワードを入力して、設立されたクレジット・カードの使用を動作可能にする作業３８を含まない。本発明による方法の更なる実施例は、無線電話処理ユニットにより自動的にクレジット・カードに関連させられるＩＭＥＩコードの、入力の作業３７を、含まない。図６に示すこの作業の実行は、また適当なキーまたはキーの特定組み合わせを押すことによりユーザがいつでも中断することができる。
【００７５】
本発明による方法は、恐らくはインターネットを介してアクセス可能な各商業サイトがその特定のクレジット・カード発行機関に関係するそれ自身の「売り手コード」と、現在のものである番号（図１に数字２で示されている）または、本発明による方法により関係する商業サイトへ特に割り当てられた「別名」を、表示することができる。好ましくはこうして商業サイトが、「売り手コード」を示す発行機関記号を店の勘定台の近く、または関連インターネット・サイトの少なくとも１ページの適当なインジケータに表示する。
【００７６】
あきらかに電話ＳＩＭカードは、新しいクレジット・カード使用機能を容易に備えることができる。
【００７７】
本発明による方法は、既存の技術の多くを利用することにより容易に実施できる。実際、許可要求センタにより経路選択される商業サイト（インターネットを介してもアクセス可能なもの）のＰＯＳ装置により送信されるメッセージを、現在発行機関が受信している。ＳＭＳおよび／またはＭＭＳの電話メッセージを送信し受信するように本発明を修正することにより、本発明によりそれを実施することが可能である。
【００７８】
ダイヤルするためには、クレジット・カード所有者がセルラ無線電話番号のリスト（世界中の各国に関連する）を受信すれば充分であり、これは所有者により、クレジット・カードをセット中に、無線電話内に記憶される。
【００７９】
特定の契約を通じて、発行会社は本発明の方法により発生されるＳＭＳメッセージまたはＭＭＳなどのセルラ無線電話メッセージのトラヒックを、第三者への課金において、世界の様々な国に存在する移動電話会社へ、有利に与えることができる。
【００８０】
上記のように、ユーザの無線電話とＳＭＳメッセージまたはＭＭＳメッセージを通じて通信するサービス・センタは、呼び出し中のハンドセットのＩＭＥＩコードがユーザのデータと一致するかどうかを有利にチェックすることもできる。これにより、偶然他人のデータを知った人々により行われるデータベースへのあらゆる侵入および／または盗用のあらゆる試みを無用にする。知られているように、実際ＩＭＥＩコードは、各単一の無線電話を識別する１５桁の数字であって、国および製造者のコードを示す６桁（Ｔａｃ−Ｔｙｐｅ承認コード）、製造者自体を指示する２桁（Ｆａｃ−Ｆｉｎａｌ  Ａｓｓｅｍｂｌｙ  Ｃｏｄｅ）、ハンドセットの一連番号を示す更なる６桁（Ｓｎｒ−シリアル・ナンバー）および可能性のある将来の使用の時に利用可能な最後の字（Ｓｐ−スペア）を含む。
【００８１】
この方法はさらに、取引が迅速で安全に実行されるために必要な作業を可能にする利点を提供する。実際、セルラ無線電話メッセージング・サービスは傍受不可能であり、メッセージの各送信は僅か数秒しか必要としない。したがって本発明による方法は、現在の通信システムと共に、一つの取引をほぼ１０ないし２０秒の時間で実行できる。
【００８２】
その上、（サーバ２２のような）セルラ無線電話メッセージ制御装置は、特に移動電話会社により制御される場合に、符号化された方法において、受信データを発行データ機関へ有利に経路選択する。好ましくは「クレジット・カード」機能を備えたＳＩＭカードは、発行機関のサービス・センタ（または関連サーバ）に対応するセルラ無線電話番号を既に含む。移動電話会社および／または発行機関は、ＳＭＳメッセージまたはＭＭＳメッセージの送信を有利に提供し、これにはそうしたセルラ無線電話番号の交信（恐らくは無線電話が移動する地理的領域に対応する）を含み、これは無線電話内に記憶されている。
【００８３】
無線電話の製造者は、特別な「クレジット・カード」キーを備えたハンドセットを有利に製造するであろう。
【００８４】
本発明による方法の使用は、発行機関によりその関連商業サイトへ容易に普及できる。実際、たとえば発行機関記号および商業サイト識別コードを含むポスターを、商業サイト内に展示するために送信するだけで、充分である。同様に、商業ウエブ・サイトは、この方法の使用のために容易に修正できる。
【００８５】
本発明による方法は、クレジット・カードが操作されるかも知れないとの恐れのために、自分のクレジット・カードを他人に任せないようにするために、現在のシステムを多く利用しない人の恐れを、完全に除去することができる。
【００８６】
本発明による方法の手順を通じて作業することにより、クレジット・カードの各所有者は通常の取引を実行することができ、またインターネットを介し、直接に電話を通じて、販売者または第三者が、手元に彼または彼女のクレジット・カードまたは彼または彼女のデータを有することなく、彼または彼女が許可を求める取引のデータを個人的にダイアルすることにより、それを行うことができる。どんな人間も、少なくともあらゆるハッカーまたは悪意を抱く人々が、クレジット・カード番号を自由に使えるという事はない。
【００８７】
本発明による方法は、安全を可能にし、その結果として、インターネット通信網商業サイトを介して、通常のアクセス可能に遂行される取引の数の増加させることが予想される。本発明による方法は、現在のチェックの手順および取引の許可を実質的に変更せずに残すが、クレジット・カードが売り手に与えられることを強制するものではなく、また同一のカードのデータがインターネットを介して通信されることを供給するものでもない。
【００８８】
その市場では、クレジット・カードに関係するデータを、ネットワークを通じて送信することについてのユーザの恐れのために、今日多数の商業取引をその潜在可能性よりも低いものにしている、インターネットにより代表される巨大な市場に対して、本発明による方法は大きな衝撃を与える。
【００８９】
本発明による方法のおかげで、取引を遂行するためにユーザは、もはや手元にクレジット・カードを所持しなければならないことがなくなり、それにより盗難または紛失の危険を最小化できる。取引を遂行するためには、電話機の中に安全に記憶されたカード・データを使用することで充分である。
【００９０】
本発明による方法は、世界規模で直ちに実施可能であるが、それはセルラ無線電話メッセージの送信と受信を通じて作動するからであり、従ってほとんど全地上表面を覆うネットワーク・カバレージを可能にするＧＳＭおよび／またはＧＰＲＳおよび／またはＵＭＴＳの信号を使用することにより、ユーザが実質上世界中に取引を実行することを可能にする。
【００９１】
発行機関は、ユーザからのメッセージ受信および送信のシステムを適切に組織化することにより、特定のＳＩＭカードを使用することなく、またはこの方法自体にあらかじめ設定された証書なしで、本発明による方法を実施することが恐らく可能である。
【００９２】
インターネット商業サイトを介してアクセス可能なものは、クレジット・カード・データを受信せず、それらが現在受信するものに従って、同一方法で許可要求の結果のみを受信する。実際、資格のない第三者により傍受される危険を冒すことなしに、ユーザはコンピュータにクレジット・カード・データを入力して、それをインターネットを介して通信する必要がない。
【００９３】
非常に単純ではあるが無線電話の使用は、本発明による方法を、敏速で無線電話自体の盗難または紛失の場合でさえ、不正な人々にアクセス不可能なものにする。実際無線電話は毎回少なくとも一つのパスワードを要求して、クレジット・カード使用モードの使用を可能にする。また無線電話の盗難または紛失の場合は、クレジット・カード所有者が本発明による方法を通じたカード使用モードのみを使用不可能にして、従来の方法を使用可能にし続けることができる。
【００９４】
有利には本発明による方法は、ユーザ自体の無線電話または会社または「ビジネス」クレジット・カード使用モードを適切に備えた会社の無線電話を使用することを可能にする。実際各無線電話は、複数のクレジット・カードを使用するようにセットできる。
【００９５】
本発明による方法を通じて、広告メッセージ請求書ｅメールなどのユーザへの追加的サービスを、あらかじめセットすることができる。本発明による方法は、また、パスワードを必要とし、カード所有者のみがメッセージを読み、また削除することができるように効果的にするので、上記のすべてはプライバシーの保障付きである。
【００９６】
本発明による方法はまた、銀行および／または保険システムにおいても、有利に採用することが可能であり、たとえば商業サイト識別コードに類似した関連のディスペンサ識別コードを、各自動キャッシュ・ディスペンサへ割り当てることにより、バンキング・システムが直接または間接に、ＳＭＳメッセージまたはＭＭＳメッセージのトラフィックを、管理することができる。この方法により、Ｂａｎｃｏｍａｔ−ＡＴＭ−Ｉｎｔｅｒａｃｔユーザにとって、電話ネットワーク信号によりカバーされる世界の実際的にすべての地域において、現金の引き出しを実行することができる。同様に保険システムは、この顧客に対して支払いをする機会を提供できる。
【００９７】
石油会社もまた、本発明による方法を有利に採用することができ、それは、商業サイト識別サイトに類似した対応する識別コードを各給油ステーションで表示することにより行われる。
【００９８】
結論として、本発明による方法により提供される利点は数多いが、特に、実施コストの削減、使用の簡単さ、アプリケーションの多能性、インターネットを介する取引にもおよぶ取引の安全性、将来の技術的進歩に対する生得的な適応性、現在のクレジット・カード使用システムとの共存である。
【００９９】
好ましい実施例を上記に説明し、本発明のいくつかの修正を示唆してきたが、理解すべきは、当業者が、下記の特許請求の範囲により定義される保護の関係範囲から離れることなく、他の変形と変更を加えることができることである。
【図面の簡単な説明】
【０１００】
本発明の好ましい諸実施例により、特に添付図面の諸図を参照しながら、例示の方法により、限定の方法によるのではなく、本発明を説明してきた。
【図１】クレジット・カードを通じて遂行される取引の終了において、印刷される販売書類を示す。
【図２】本発明による方法の第１実施例を通じて遂行されるクレジット・カードによる支払い許可の作業の第１部分の略図を示す。
【図３．１】図１の方法を遂行するセルラ無線電話上に表示される情報の連続を示す。
【図３．２】図１の方法を遂行するセルラ無線電話上に表示される情報の連続を示す。
【図３．３】図１の方法を遂行するセルラ無線電話上に表示される情報の連続を示す。
【図３．４】図１の方法を遂行するセルラ無線電話上に表示される情報の連続を示す。
【図３．５】図１の方法を遂行するセルラ無線電話上に表示される情報の連続を示す。
【図３．６】図１の方法を遂行するセルラ無線電話上に表示される情報の連続を示す。
【図３．７】図１の方法を遂行するセルラ無線電話上に表示される情報の連続を示す。
【図３．８】図１の方法を遂行するセルラ無線電話上に表示される情報の連続を示す。
【図３．９】図１の方法を遂行するセルラ無線電話上に表示される情報の連続を示す。
【図３．１０】図１の方法を遂行するセルラ無線電話上に表示される情報の連続を示す。
【図３．１１】図１の方法を遂行するセルラ無線電話上に表示される情報の連続を示す。
【図３．１２】図１の方法を遂行するセルラ無線電話上に表示される情報の連続を示す。
【図３．１３】図１の方法を遂行するセルラ無線電話上に表示される情報の連続を示す。
【図４】図１の方法を通じて遂行されるクレジット・カードによる支払いの許可の作業の第２部分の略図を示す。
【図５】本発明による第２実施例を通じて遂行されるクレジット・カードの支払いの許可の作業の第２部分の略図を示す。
【図６】図１の方法を遂行しやすいセルラ無線電話をセットする作業の略図を示す。
【図７．１】図７のセット作業中のセルラ無線電話上に表示される情報の連続を示す。
【図７．２】図７のセット作業中のセルラ無線電話上に表示される情報の連続を示す。
【図７．３】図７のセット作業中のセルラ無線電話上に表示される情報の連続を示す。
【図７．４】図７のセット作業中のセルラ無線電話上に表示される情報の連続を示す。
【図７．５】図７のセット作業中のセルラ無線電話上に表示される情報の連続を示す。
【図７．６】図７のセット作業中のセルラ無線電話上に表示される情報の連続を示す。
【図７．７】図７のセット作業中のセルラ無線電話上に表示される情報の連続を示す。
【図７．８】図７のセット作業中のセルラ無線電話上に表示される情報の連続を示す。
【図７．９】図７のセット作業中のセルラ無線電話上に表示される情報の連続を示す。
【図７．１０】図７のセット作業中のセルラ無線電話上に表示される情報の連続を示す。
【図７．１１】図７のセット作業中のセルラ無線電話上に表示される情報の連続を示す。
【図７．１２】図７のセット作業中のセルラ無線電話上に表示される情報の連続を示す。
【図１】
2007521556.tif 000003
【図２】
2007521556.tif 000004
【図３．１】
2007521556.tif 000005
【図３．２】
2007521556.tif 000006
【図３．３】
2007521556.tif 000007
【図３．４】
2007521556.tif 000008
【図３．５】
2007521556.tif 000009
【図３．６】
2007521556.tif 000010
【図３．７】
2007521556.tif 000011
【図３．８】
2007521556.tif 000012
【図３．９】
2007521556.tif 000013
【図３．１０】
2007521556.tif 000014
【図３．１１】
2007521556.tif 000015
【図３．１２】
2007521556.tif 000016
【図３．１３】
2007521556.tif 000017
【図４】
2007521556.tif 000018
【図５】
2007521556.tif 000019
【図６】
2007521556.tif 000020
【図７．４】
2007521556.tif 000021
【図７．５】
2007521556.tif 000022
【図７．６】
2007521556.tif 000023
【図７．７】
2007521556.tif 000024
【図７．８】
2007521556.tif 000025
【図７．９】
2007521556.tif 000026
【図７．１０】
2007521556.tif 000027
【図７．１１】
2007521556.tif 000028
【図７．１２】
2007521556.tif 000029
【国際調査報告】
2007521556.tif 000030
2007521556.tif 000031
2007521556.tif 000032